【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
ベース・レイヤと1組のエンハンスメント・レイヤとを有するスケーラブルなコード化されたビデオ出力信号を生成するために、入力量子化因子により量子化されている入力係数のブロックを有する非スケーラブルなコード化されたビデオ入力信号を修正する方法であって、
−当該入力係数に適用される第一ビットシフト・ステップであって、シフト行列の係数により与えられた量だけ前記ビットを左にシフトさせて、シフトされた一次係数を生成することから成るステップと、
−当該シフトされた一次係数に適用される第二ビットシフト・ステップであって、前記ビットを量N1だけ右にシフトさせて、シフトされた二次係数を生成することから成るステップと、
−当該シフトされた二次係数に適用して、当該ベース・レイヤを定める可変長コード化された係数を生成するための可変長コード化ステップと、
−当該シフトされた一次係数のN1個の最下位ビットから作られたビットプレーンをコード化して、当該エンハンスメント・レイヤを定めるコード化されたビットプレーンを生成するための、ビットプレーン・コード化ステップと、
を有することを特徴とする方法。
【請求項２】
N1が、当該シフト行列内のより大きな係数に対応することを特徴とする、請求項１に記載の方法。
【請求項３】
−N1が、当該シフト行列内の前記より大きな係数に量Kを加算したものに対応し、
−前記入力量子化因子を再量子化して、再量子化された出力量子化因子を生成するための再量子化ステップであって、前記入力量子化因子を2Kに等しい因子により乗算することから成るステップを有する、
ことを特徴とする、請求項１に記載の方法。
【請求項４】
非スケーラブルなビデオ出力信号を生成するために、入力係数のブロックを有するベース・レイヤと1組のエンハンスメント・レイヤとを有するスケーラブルなコード化されたビデオ入力信号を修正する方法であって、
−ダンプされていると見なされる入力係数のビットを1ユニットだけ左にシフトさせて、シフトされた一次係数を生成することから成る、当該入力係数に適用されるビットシフト・ステップと、
−デコードされた一次値を定めるデコードされたビットプレーンを生成するためにエンハンスメント・レイヤをデコードするビットプレーン・デコーディング・ステップと、
−当該シフトされた一次係数を当該デコードされた一次値に加算して、前記非スケーラブルなビデオ出力信号を定めるデコードされた値を生成するための加算ステップと、
から成る、エンハンスメント・レイヤの数に等しい回数だけ行われる再帰的な組を、エンハンスメント・レイヤ毎に有することを特徴とする方法。
【請求項５】
入力量子化因子により量子化された入力係数のブロックを有するベース・レイヤと1組のエンハンスメント・レイヤとを有するスケーラブルなコード化されたビデオ入力信号を修正して、非スケーラブルなビデオ出力信号を生成する方法であって、
a)
−入力係数のビットを1ユニットだけ左にシフトさせて、シフトされた一次係数を生成することから成る、当該入力係数に適用される第一ビットシフト・ステップと、
−前記エンハンスメント・レイヤをデコードして、デコードされた一次値を定めるビットプレーンを生成するビットプレーン・デコーディング・ステップと、
−前記デコードされた一次値を当該シフトされた一次係数に加算して、修正された係数を生成するための第一加算ステップと、
−前記入力量子化因子を再量子化し、かつ出力量子化因子を生成するための、前記入力量子化因子を2で除算することから成る再量子化ステップと、
をエンハンスメント・レイヤ毎に有する、所定の量Kに等しい最大回数だけ行われる第一再帰的ステップの組と、
b)
−ダンプされていると見なされる修正されたデコードされた係数のビットを1ユニットだけ左にシフトさせて、シフトされた二次係数を生成することから成る、当該修正された係数に適用される第二ビットシフト・ステップと、
−前記エンハンスメント・レイヤをデコードして、デコードされた二次値を定めるデコードされたビットプレーンを生成するビットプレーン・デコーディング・ステップと、
−当該シフトされた二次係数を当該デコードされた二次値に加算して、前記非スケーラブルな出力ビデオ信号を定めるデコードされた値を生成するための第二加算ステップと、
をエンハンスメント・レイヤ毎に有する、残されているエンハンスメント・レイヤの数に等しい回数だけ行われる第二再帰的ステップの組と、
を有することを特徴とする方法。
【請求項６】
−前記ビデオ出力信号を定める当該デコードされた値に適用されて可変長コード化された係数を生成するための可変長コード化ステップと、
−当該可変長コード化された係数をデコードして当該非スケーラブルなビデオ出力信号のデコードされたビデオ信号を生成するための規格ビデオ・デコーディングと、
を更に有することを特徴とする、請求項4または5に記載の方法。
【請求項７】
入力量子化因子により量子化された入力係数のブロックを有する、非スケーラブルなコード化されたビデオ入力信号を修正して、ベース・レイヤと1組のエンハンスメント・レイヤとを有するスケーラブルなコード化されたビデオ出力信号を生成するためのエンコーダにおいて、
−シフト行列の前記係数により与えられた量だけ前記ビットを左にシフトさせて、シフトされた一次係数を生成することから成る、当該入力係数に適用される第一ビットシフト手段と、
−前記ビットを量N1だけ右にシフトさせて、シフトされた二次係数を生成することから成る、当該シフトされた一次係数に適用される第二ビットシフト手段と、
−当該ベース・レイヤを定める可変長コード化された係数を生成するための、当該シフトされた二次係数に適用される可変長コード化手段と、
−当該シフトされた一次係数のN1個の最下位ビットから作られた前記ビットプレーンをコード化して、当該エンハンスメント・レイヤを定めるコード化されたビットプレーンを生成するためのビットプレーン・コード化手段と、
を有することを特徴とするエンコーダ。
【請求項８】
入力係数のブロックを有するベース・レイヤと1組のエンハンスメント・レイヤとを有するスケーラブルなコード化されたビデオ入力信号を修正して、非スケーラブルな出力ビデオ信号を生成するためのデコーダであって、
−ダンプされていると見なされる入力係数の前記ビットを1ユニットだけ左にシフトさせて、シフトされた一次係数を生成することから成る、当該入力係数に適用されるビットシフト手段と、
−前記エンハンスメント・レイヤをデコードして、デコードされた一次値を定めるためのビットプレーン・デコーディング手段と、
−当該シフトされた一次係数を当該デコードされた一次値に加算して、前記非スケーラブルなビデオ出力信号を定めるデコードされた値を生成するための加算手段と、
から成る、前記エンハンスメント・レイヤの数に等しい回数だけ実行される再帰的に使用される手段の組を、エンハンスメント・レイヤ毎に有することを特徴とするデコーダ。
【請求項９】
入力量子化因子により量子化された入力係数のブロックを有するベース・レイヤと、1組のエンハンスメント・レイヤとを有するスケーラブルなコード化されたビデオ入力信号を修正して、非スケーラブルなビデオ出力信号を生成するためのデコーダであって、
a)
−入力係数のビットを1ユニットだけ左にシフトさせて、シフトされた一次係数を生成することから成る、当該入力係数に適用される第一ビットシフト手段と、
−前記エンハンスメント・レイヤをデコードして、デコードされた一次値を定めるビットプレーンを生成するビットプレーン・デコーディング手段と、
−前記デコードされた一次値を当該シフトされた一次係数に加算して、修正された係数を生成するための第一加算手段と、
−前記入力量子化因子を再量子化しかつ出力量子化因子を生成するための、前記入力量子化因子を2で除算することから成る再量子化手段と、
をエンハンスメント・レイヤ毎に有する、所定の量Kに等しい最大回数だけ行われる、第一の再帰的に用いられる手段の組と、
b)
−ダンプされていると見なされる修正されたデコードされた係数のビットを1ユニットだけ左にシフトさせて、シフトされた二次係数を生成することから成る、当該修正された係数に適用される第二ビットシフト手段と、
−前記エンハンスメント・レイヤをデコードして、デコードされた二次値を定めるデコードされたビットプレーンを生成するビットプレーン・デコーディング手段と、
−当該シフトされた二次係数を当該デコードされた二次値に加算して、前記非スケーラブルな出力ビデオ信号を定めるデコードされた値を生成するための第二加算手段と、
をエンハンスメント・レイヤ毎に有する、残されているエンハンスメント・レイヤの数に等しい回数だけ行われる第二の再帰的に用いられる手段の組と、
を有することを特徴とするデコーダ。
【請求項１０】
請求項8または9に記載のデコーダを有する、スケーラブルなコード化されたビデオ信号を受信しかつ処理するためのセット・トップ・ボックス製品。
【請求項１１】
ベース・レイヤと1組のエンハンスメント・レイヤとを有するスケーラブルなコード化されたビデオ信号を格納した格納媒体であって、当該信号が、
−シフト行列の係数により与えられた量だけ前記ビットを左にシフトさせて、シフトされた一次係数を生成することから成る、当該入力係数に適用される第一ビットシフト・ステップと、
−当該シフトされた一次係数に適用される第二ビットシフト・ステップであって、前記ビットを量N1だけ右にシフトさせて、シフトされた二次係数を生成することから成るステップと、
−当該ベース・レイヤを定める可変長コード化された係数を生成するために、当該シフトされた二次係数に適用される可変長コード化ステップと、
−当該シフトされた一次係数のN1個の最下位ビットから作られたビットプレーンをコード化して、当該エンハンスメント・レイヤを定めるコード化されたビットプレーンを生成するためのビットプレーン・コード化ステップと、
を有する、入力量子化因子により量子化された入力係数のブロックを有する非スケーラブルなコード化されたビデオ入力信号を修正する方法から得られる、
格納媒体。
【請求項１２】
請求項1、請求項4、または請求項5に記載の方法の内の1方法のステップを実施するためのコード命令を有するコンピュータ・プログラム。